(57)【要約】  【課題】  粒子状物質の捕集を良好に行うことができる粒子状物質捕集用フィルタおよびこれを用いた粒子状物質サンプラーを提供すること。  【解決手段】  フッ素系樹脂よりなる多孔質層２と、この多孔質層２の一面側に設けられる通気性の補強層３とを備えた粒子状物質捕集用フィルタ１において、前記補強層２を、帯電性の低い多孔質樹脂材料によって構成している。  【選択図】  図１
2005144317.tif 000002
【特許請求の範囲】
【請求項１】
フッ素系樹脂よりなる多孔質層と、この多孔質層の一面側に設けられる通気性の補強層とを備えた粒子状物質捕集用フィルタにおいて、前記補強層を、帯電性の低い多孔質樹脂材料によって構成したことを特徴とする粒子状物質捕集用フィルタ。
【請求項２】
補強層が、ポリエチレン、ポリエチレンテレフタレート、ナイロン、ポリエステル、ポリアミドのいずれか一つまたは複数を素材とする不織布よりなる請求項１に記載の粒子状物質捕集用フィルタ。
【請求項３】
複数のフィルタをそれぞれ着脱自在に保持するフィルタ保持機構と、このフィルタ保持機構に保持された複数のフィルタのうちの一つにサンプルガスを通すことにより、サンプルガス中の粒子状物質を前記フィルタに捕集させるサンプルガス供給機構とを備え、前記フィルタを、請求項１または２に記載の粒子状物質捕集用フィルタとし、また、サンプルガス供給機構がフィルタ保持機構に保持された複数のフィルタに粒子状物質を順次捕集させるように構成したことを特徴とする粒子状物質サンプラー。
【請求項４】
フィルタ保持機構が、その軸まわりに回転自在なターンテーブルを備え、このターンテーブルの周縁部に各フィルタが着脱自在に取り付けられている請求項３に記載の粒子状物質サンプラー。
【発明の詳細な説明】
【技術分野】
【０００１】
この発明は、例えば、大気中の浮遊粒子状物質の他、種々の排ガスあるいは排ガスを希釈して得られる希釈排ガスなどに含まれる粒子状物質を捕集するための粒子状物質捕集用フィルタおよびこれを用いた粒子状物質サンプラーに関する。
【背景技術】
【０００２】
大気中に存在する浮遊粒子状物質（Ｓｕｓｐｅｎｄｅｄ  Ｐａｒｔｉｃｕｌａｔｅ  Ｍａｔｔｅｒ：以下、ＳＰＭという）のうち、特に粒子径が１０μｍ以下であるものが人の健康を害し、また、粒子径が２．５μｍ以下のＳＰＭ（微小粒子状物質あるいはＰＭ２．５とも呼ばれる）と人の死亡率との関係が深いとの報告もある。
【０００３】
そして、大気中のＳＰＭの質量（濃度）を測定する手法の一つに、例えばローボリュームサンプラー等の手動式のサンプラーを用いる方法がある。すなわち、このサンプラーは、一定流量の大気をサンプルガスとして連続的にサンプリング管内に吸引し、このサンプリング管の下流側に設けられたフィルタにサンプルガスを通過させることで、フィルタ上にＳＰＭを捕集するように構成されており、このサンプラーを用いてＳＰＭを一日〜数日間フィルタに捕集した後、その質量を天秤等によって計測し、得られたＳＰＭの質量とサンプルガスの流量とからＳＰＭの濃度を導出することができる。
【特許文献１】特開２００１−３４３３１９号公報
【発明の開示】
【発明が解決しようとする課題】
【０００４】
ところで、前記フィルタの素材としては、化学的安定性、吸湿性の低さなどの点で優れたフッ素系樹脂が主に用いられているが、フッ素系樹脂よりなるフィルタは帯電しやすく、その帯電によって、捕集した粒子状物質以外の不要物をも吸着してしまうという欠点があった。この帯電による不要物の吸着は、サンプラーにおける粒子状物質の捕集時はもちろん、捕集後のフィルタをサンプラーから天秤へと移し、質量の計測を行う際に特に顕著に起こり、粒子状物質の測定誤差を大きくする原因となっていた。
【０００５】
この発明は上述の事柄に留意してなされたもので、その目的は、粒子状物質の捕集を良好に行うことができる粒子状物質捕集用フィルタおよびこれを用いた粒子状物質サンプラーを提供することである。
【課題を解決するための手段】
【０００６】
上記目的を達成するために、この発明では、フッ素系樹脂よりなる多孔質層と、この多孔質層の一面側に設けられる通気性の補強層とを備えた粒子状物質捕集用フィルタにおいて、前記補強層を、帯電性の低い多孔質樹脂材料によって構成している（請求項１）。
【０００７】
具体的には、補強層は、例えばポリエチレン、ポリエチレンテレフタレート、ナイロン、ポリエステル、ポリアミドのいずれか一つまたは複数を素材とする不織布から構成される（請求項２）。
【０００８】
また、上記目的を達成するために、この発明では、複数のフィルタをそれぞれ着脱自在に保持するフィルタ保持機構と、このフィルタ保持機構に保持された複数のフィルタのうちの一つにサンプルガスを通すことにより、サンプルガス中の粒子状物質を前記フィルタに捕集させるサンプルガス供給機構とを備え、前記フィルタを、請求項１または２に記載の粒子状物質捕集用フィルタとし、また、サンプルガス供給機構がフィルタ保持機構に保持された複数のフィルタに粒子状物質を順次捕集させるように構成している（請求項３）。
【０００９】
具体的には、フィルタ保持機構は、その軸まわりに回転自在なターンテーブルを備え、このターンテーブルの周縁部に各フィルタが着脱自在に取り付けられている（請求項４）。
【発明の効果】
【００１０】
多孔質層を形成するフッ素系樹脂は、通常、静電気を帯びやすいという性質を持っているが、請求項１および２の発明においては、補強層が帯電防止効果（除電効果）を有しているので、多孔質層が帯電し大気中の不要物などを吸着するのを、前記補強層によって効果的に防止することができる。従って、この発明の粒子状物質捕集用フィルタによれば、粒子状物質を捕集することによって行う測定の精度を大いに向上させることができる。
【００１１】
また、従来のフッ素系樹脂よりなるフィルタは、軽量化を図るため、フッ素系樹脂よりなるフィルタの周囲に他の樹脂よりなるサポートリングを取り付けて保持しているのに対して、この発明では、フッ素系樹脂よりなる多孔質層全体を補強層で支持することができるので、さらなる薄型化・軽量化を図ることができる。
【００１２】
また、請求項３の発明においては、粒子状物質の捕集を良好に行うことができる粒子状物質捕集用フィルタを用いるので、例えば、粒子状物質のより高感度な定量測定などの実現に寄与することができ、しかも、その測定を連続的かつ容易に行うことができる。さらに、請求項４の発明によれば、複数の粒子状物質捕集用フィルタを個別にターンテーブルから取り外すことができるので、取り扱いが簡単になるなど使用性の面でより優れた効果が得られる。
【発明を実施するための最良の形態】
【００１３】
図１〜図６は、この発明の一実施例を示す。
【００１４】
図１（Ａ）および（Ｂ）は、この発明の粒子状物質捕集用フィルタ（以下、単にフィルタという）を示す。このフィルタ１は、サンプルガス中に含まれる粒子状物質の捕集に用いられ、例えば、大気中のＳＰＭ、その中でも特にＰＭ２．５といった微小な粒子状物質を捕集するのに適したものである。そして、このフィルタ１は、平面視例えば円形で、フッ素系樹脂よりなるフィルタ本体としての多孔質層２と、この多孔質層２の一面側（図示例では下面側）に設けられる通気性の補強層３とを備えた多層構造（２層構造）をしており、補強層３は、帯電性の低い多孔質樹脂材料によって構成されている。
【００１５】
具体的には、多孔質層２は、フッ素系樹脂（例えば四フッ化エチレン樹脂）によって形成された多孔質フィルムよりなる。また、補強層３は、ポリエチレン、ポリエチレンテレフタレート、ナイロン、ポリエステル、ポリアミドのいずれか一つまたは複数を素材とする吸湿性の低い不織布によって構成されている。そして、多孔質層２と補強層３とは、貼り付けなど適宜の手段により一体化されている。
【００１６】
ここで、フィルタ１の多孔質層２は、その厚みが例えば８０〜９０μｍとなっている。また、多孔質層２の重量は、０．１〜１ｍｇ／ｃｍ2 の範囲であることが好ましく、この実施例では０．３ｍｇ／ｃｍ2 程度となっている。一方、補強層３の重量は、１．０〜２．０ｍｇ／ｃｍ2 の範囲であることが好ましく、この実施例では１．２ｍｇ／ｃｍ2 程度となっている。
【００１７】
また、フィルタ１全体の厚みは、平均値として１００〜２００μｍとなることが好ましく、この実施例では１４０μｍ程度となっている。さらに、フィルタ１の重量は、平均値として１．０〜３．０ｍｇ／ｃｍ2 となることが好ましく、この実施例では１．５ｍｇ／ｃｍ2 程度となっている。
【００１８】
図２は、フィルタ１を組み込んだフィルタユニット４の一例を示す。このフィルタユニット４は、ベースプレート５と押さえプレート６とでフィルタ１を挟持し、かつ挟持した状態のフィルタ１にサンプルガスを通すことができるように構成されており、例えば、サンプルガスの流路（図示していない）中に配置されて用いられる。
【００１９】
詳しくは、ベースプレート５は、平面視ほぼ長方形の板状をしており、その中央部には、他の部分より一段低くなり、フィルタ１が載置されるフィルタ載置部７が形成されている。このフィルタ載置部７は、その周縁部に、フィルタ１の周縁部を当接させる環状部分８が形成され、その中央部は、サンプルガスを通過させるための複数の貫通孔９と、フィルタ１に対してその下流側（図示例では下方側）から当接し、サンプルガスの流れによってフィルタ１が下流側へ変形して破損することを防止する適宜形状のブリッジ１０とからなる。
【００２０】
また、ベースプレート５の一方の表面（上面）の一端部には、他の部分に比べて上面の位置が押さえプレート６の厚みの分だけ高くなった肉厚部分１１が形成されているとともに、ベースプレート５の上面における肉厚部分１１を除いた部分は、押さえプレート６を載置するための載置面部１２となっており、この載置面部１２と押さえプレート６との形状および大きさはほぼ一致するように構成されている。これにより、載置面部１２に載置したときの押さえプレート６の上面と肉厚部分１１の上面とはほぼ面一となる。
【００２１】
一方、押さえプレート６は、平面視ほぼ長方形状の板状をしており、そのほぼ中央に、平面視形状がフィルタ１の平面視形状と同じ円形状であり、かつフィルタ１よりも若干小さい貫通孔１３が設けられており、図５に示すように、押さえプレート６をベースプレート５の載置面部１２に載置したときに、ベースプレート５のフィルタ載置部７の中心位置と押さえプレート６の貫通孔１３の中心位置とが自動的に合致するように構成されている。従って、フィルタ１をベースプレート５のフィルタ載置部７上に載置した後、載置面部１２上に押さえプレート６を載置して、ベースプレート５および押さえプレート６によるフィルタ１の固定を完了したときには、フィルタ１の周縁部が、ベースプレート５における環状部分８付近の部分と押さえプレート６における貫通孔１３の周縁付近の部分とで挟持された状態となる。
【００２２】
図３は、前記フィルタユニット４を装填して粒子状物質を捕集（吸着）するための粒子状物質サンプラー（以下、単にサンプラーという）１４を示す。このサンプラー１４は、サンプルガスＳ中に含まれる粒子状物質の捕集に用いられ、特に、大気中のＳＰＭ、その中でも特にＰＭ２．５といった微小な粒子状物質を捕集するのに適したものである。
【００２３】
そして、サンプラー１４は、フィルタ１をベースプレート５と押さえプレート６との間に挟持した複数のフィルタユニット４をそれぞれ着脱自在に保持するフィルタ保持機構１５と、複数のフィルタユニット１４のうちの一つにサンプルガスＳを通すことにより、サンプルガスＳ中の粒子状物質を前記フィルタユニット１４中のフィルタ１に捕集させるサンプルガス供給機構１６とを備え、サンプルガス供給機構１６がフィルタ保持機構１５に保持された複数のフィルタユニット１４中のフィルタ１に粒子状物質を順次捕集させるように構成されている。
【００２４】
フィルタ保持機構１５は、図３および図４に示すように、鉛直方向の中心軸Ｊまわりに回転自在なターンテーブル１７と、このターンテーブル１７を回転させるためのモータなどからなる駆動手段１８とを備え、前記ターンテーブル１７の周縁部に、フィルタユニット１４が着脱自在に取り付けられるフィルタユニット装着部１９が複数（図示例では１２）設けられている。
【００２５】
そして、ターンテーブル１７は、駆動手段１８によって、図４に示すように、一定の方向（例えば時計まわり）Ｒに回転し、かつ、適宜の時間ごとに所定角度ずつ、すなわち間欠的に回転する。この実施例では、２４時間ごとに３０°ずつ回転する。
【００２６】
複数のフィルタユニット装着部１９は、ターンテーブル１７の周縁部に、その周方向に等間隔に形成されており、各フィルタユニット装着部１９は、図５に示すように、ターンテーブル１７の周縁端から中央に向けて適宜の長さだけ切り欠かれた形状を呈し、その平面視はほぼ長方形状となっている。
【００２７】
また、フィルタユニット装着部１９の周縁下部には、その内側に向けて突出する突出部分２０が設けられており、フィルタユニット１９をフィルタユニット装着部１９の側方からその奥側に向けて差し込めば、突出部分２０によってフィルタユニット４の周縁部が保持された状態となるように構成されている。
【００２８】
また、フィルタユニット装着部１９の周縁付近にはばね部材２１が複数（図示例では二つ）設けられており、各ばね部材２１は、図５に示すように、突出部分２０上に保持されたフィルタユニット４の上面に当接し、これを下方へと付勢して、フィルタユニット４がフィルタユニット装着部１９から容易に抜ける（外れる）のを防止するものである。
【００２９】
サンプルガス供給機構１６は、図３に示すように、ターンテーブル１７の周縁部に設けられたフィルタユニット装着部１９の上方に配置される上チャンバ２２と、前記取付部５を挟んで上チャンバ９の下側に配置される下チャンバ２３と、二つのチャンバ２２，２３を保持し、かつ両者２２，２３を互いに離間および接近させる方向に移動させるための移動手段２４と、上チャンバ２２にサンプルガスＳを供給するためのサンプルガス導入管２５と、下チャンバ２３に供給されたサンプルガスＳを外部に導出するためのサンプルガス導出管２６とを備え、また、例えば、サンプルガス導出管２６の適所には、真空ポンプなどのサンプリングポンプ（図示していない）が設けられている。このサンプリングポンプによる大気Ｓの吸引は、図示していないマスフローコントローラあるいは圧差方式等によって制御され、その吸引流量が規定流量である１６．７Ｌ／ｍｉｎとなるように設定されている。
【００３０】
そして、上チャンバ２２の下端部には、フィルタ１を挟持した押さえプレート６の貫通孔１３を覆うように押さえプレート６の上面に当接し、サンプルガス導入管２５からのサンプルガスＳをフィルタ１の上面に向けて送出するサンプルガス導出口２７が設けられており、下チャンバ２３の上端部には、フィルタ１を挟持したベースプレート５の全ての貫通孔９（またはフィルタ載置部７）を覆うようにベースプレート５の下面に当接し、フィルタ１をその上面側から下面側へと通過したサンプルガスＳを受け入れるサンプルガス導入口２８が設けられている。
【００３１】
移動手段２４は、図２に示すように、上チャンバ２２を保持し、雌ねじ部２９およびガイド孔３０を上下方向に有する上チャンバ用アーム３１と、下チャンバ２３を保持し、雌ねじ部３２およびガイド孔３３を上下方向に有する下チャンバ用アーム３４と、前記雌ねじ部２９，３２を貫通するとともに、雌ねじ部２９，３２に螺合する雄ねじ部３５，３６が形成され、さらに、その上下方向の軸まわりに回転自在な棒状体３７と、前記ガイド孔３０，３３を貫通するガイド棒３８とを備えている。なお、雌ねじ部２９，３２は互いに逆向きのねじとなっており、それに伴って、棒状体３７の雄ねじ部３５，３６も逆向きのねじとなっている。
【００３２】
上記構成の移動手段２４では、棒状体３７を一方向に回転させると、棒状体３７の雄ねじ部３５と螺合する雌ねじ部２９を有する上チャンバ用アーム３１がガイド棒３８にガイドされながら上方向に移動するとともに、棒状体３７の雄ねじ部３６と螺合する雌ねじ部３２を有する下チャンバ用アーム３４がガイド棒３８にガイドされながら下方向に移動する。そして、上記移動に伴って、上チャンバ用アーム３１に保持された上チャンバ２２が上方向に移動し、下チャンバ用アーム３４に保持された下チャンバ２３が下方向に移動し、二つのチャンバ２２，２３が離間する。
【００３３】
逆に、棒状体３７を他方向に回転させると、上チャンバ用アーム３１がガイド棒３８にガイドされながら下方向に移動するとともに、下チャンバ用アーム３４がガイド棒３８にガイドされながら上方向に移動する。そして、上記移動に伴って、上チャンバ２２が下方向に移動するとともに、下チャンバ２３が上方向に移動し、二つのチャンバ２２，２３が接近し、最終的には、上チャンバ２２と下チャンバ２３とでフィルタ１が組み込まれたフィルタユニット４を挟持する状態となる。
【００３４】
なお、サンプルガス導入管２５の上流部には、分粒器３９が設けられており、この分粒器３９は、大気Ｓ中に含まれるＳＰＭやＰＭ２．５、ＰＭ１０を分級し、所定の粒子径を超える大きな粒子状物質を捕捉し、所定の粒子径以下の小さな粒子状物質を選択的にサンプルガス導入管２５および上チャンバ２２に送るように構成されている。
【００３５】
また、分粒器３９としては、例えば、サンプルガスＳの渦流による遠心分離を利用して分粒を行うサイクロンや、サンプルガスＳの衝突によって小粒径の粒子状物質を選択的にサンプリングするインパクタを用いることができる。
【００３６】
そして、サンプラー１４は、図３および図４に示すように、ターンテーブル１７の全体を覆うカバー体４０を備えており、ターンテーブル１７に保持されたフィルタユニット４をカバー体４０の外部から隔離することにより、フィルタユニット４中のフィルタ１とカバー体４０の外部の空気（大気）とが直接接触しないように構成されている。カバー体４０は、ターンテーブル１７の外側にほぼ沿うような形状をしており、かつターンテーブル１７の軸まわりの回転を妨げないように構成されている。
【００３７】
そして、カバー体４０の周縁部には、開閉自在な蓋部４１が設けられており、この蓋部４１は、カバー体４０の底面に設けられたヒンジ部４２を軸に回動し、閉じたときには、カバー体４０外部の空気がカバー体４０内に進入しない状態となる。また、蓋部４１を開けることにより、フィルタユニット４をフィルタユニット装着部１９に着脱することができる。
【００３８】
また、カバー体４０は、ターンテーブル１７だけでなく、サンプルガス導出口２７の周囲を含む上チャンバ２２の下部側壁と、サンプルガス導入口２８付近を含む下チャンバ２３の上部側壁とを覆うように構成され、上チャンバ２２の下部側壁を覆う部分と下チャンバ２３の上部側壁を覆う部分とには、上チャンバ２２および下チャンバ２３の上下方向の移動に耐えるように、上下方向に伸縮自在な蛇腹部分４３，４４が形成されている。
【００３９】
さらに、サンプラー１４は、図４に示すように、ターンテーブル１７の周縁部に設けられた複数のフィルタユニット装着部１９のうちの一つを、サンプルガス供給機構１６の上チャンバ２２および下チャンバ２３が挟持するように構成されているとともに、この挟持されるフィルタユニット装着部１９の一つ隣のフィルタユニット装着部１９であって、ターンテーブル１７の回転方向Ｒにおける下流側にあるフィルタユニット装着部１９に対応する位置に、前記カバー体４０の蓋部４１が設けられている。
【００４０】
次に、上記の構成からなるサンプラー１４の作動について説明する。
【００４１】
予め、フィルタユニット４をサンプラー１４のフィルタユニット装着部１９に装着しておく。この装着は、図４に示すように、カバー体４０の蓋部４１を開け、この蓋部４１に対応する位置にあるフィルタユニット装着部１９に対してその側方からフィルタユニット４を差し込むことによって行うことができる。そして、ターンテーブル１７を回転させて、蓋部４１に対応する位置に全てのフィルタユニット装着部１９を順次移動させ、フィルタユニット４を装着することにより、各フィルタユニット装着部１９に対してフィルタユニット４が装着された状態となる。なお、フィルタユニット４の装着が完了すれば、蓋部４１を閉じる。
【００４２】
そして、まず、互いに離間していた上チャンバ２２および下チャンバ２３は、移動手段２４の作動によって接近し、サンプルガス供給機構１６に対応する位置にある一つのフィルタユニット４を挟み込む状態となる。
【００４３】
続いて、下チャンバ２３の下流側に設けられたサンプリングポンプの吸引によって大気Ｓが分粒器３９内へと導入され、この分粒器３９のはたらきによって測定対象外の粒子状物質が排除された大気Ｓは、サンプルガス導入管２５を経て上チャンバ２２内に入る。その後、この大気Ｓは、上チャンバ２２のサンプルガス導出口２７から送出されて下チャンバ２３のサンプルガス導入口２８に受け入れられることにより、上チャンバ２２と下チャンバ２３とで挟まれて固定されたフィルタユニット４中のフィルタ１を、その上面側から下面側へと通過し、前記サンプルガス導出管２６から下チャンバ２３の外部に導出される。そして、大気Ｓをフィルタ１内に通過させ続ける状態が一定時間（この実施例では２４時間）保たれることによって、フィルタ１による粒子状物質の捕集が完了する。
【００４４】
上記のようにしてフィルタ１による粒子状物質の捕集が完了すると、ターンテーブル１７が３０°だけ回転する。これにより、サンプルガス供給機構１６によって粒子状物質の捕集に用いられたフィルタ１を含むフィルタユニット４は、カバー体４０の蓋部４１に対応する位置に移動する。
【００４５】
そして、蓋部４１に対応する位置に移動してきた粒子状物質を捕集した後のフィルタ１を含むフィルタユニット４は、蓋部４１を開けた状態で、フィルタユニット装着部１９から取り出されるとともに、このフィルタユニット装着部１９に、粒子状物質を捕集する前のフィルタ１を含むフィルタユニット４が新たに装着される。その後、蓋部４１が閉められ、このときサンプルガス供給機構１６に対応する位置に移動したフィルタユニット４中のフィルタ１に対して、上記と同様の粒子状物質の捕集作業が行われる。上記のターンテーブル１７の回転とサンプルガス供給機構１６の作動とは、交互に自動的に行われるように構成されている。
【００４６】
なお、フィルタユニット装着部１９から取り出されたフィルタユニット４中のフィルタ１は、大気に触れない状態で保管される。
【００４７】
上記サンプラー１４では、以下のような効果が得られる。すなわち、バッチ式で、少なくとも２３〜２４時間かけてフィルタを用いた粒子状物質の捕集を行う従来のサンプラーでは、１回の粒子状物質の捕集毎に、その捕集を中断して、フィルタの交換作業を必ず行わなければならず、粒子状物質の捕集を複数回連続して行う場合、非常に手間がかかるという問題があった。しかし、この実施例のサンプラー２では、ターンテーブル１７およびサンプルガス供給機構１６の作動を交互に自動的に行うように構成してあるので、フィルタユニット４（フィルタ１）を用いた粒子状物質の捕集作業とフィルタユニット４の交換とを自動的かつ連続的に行うことができ、粒子状物質の捕集が終了する毎にフィルタユニット４の交換などを手動で必ずしも行う必要がなく、それだけ粒子状物質の捕集にかかる時間が短くなり、また、その捕集にかかる手間が省かれる。
【００４８】
また、サンプラー１４を例えばバッテリー駆動とし、携帯が可能となるように構成した場合には、電源供給の無い僻地などでの連続的な粒子状物質の捕集を容易に行える。
【００４９】
なお、この発明は、上述の実施の形態に限られるものではなく、種々に変形して実施することができる。例えば、フィルタ１は、平面視が円形状をしたものに限られず、平面視が楕円形状、長方形状などの多角形状などであってもよい。
【００５０】
また、フィルタユニット４のベースプレート５と押さえプレート６とを、完全に別体とせず、両者５，６を蝶番などで構成されるヒンジ部（図示していない）によって連結してもよい。
【００５１】
また、前記サンプルガスＳとしては、大気に限られず、エンジン排ガスや煙道排ガスなどの排ガスあるいはこのような排ガスを希釈して得られる希釈排ガスなどでもよく、この場合、分析対象とする粒子状物質としては、そのようなガス中に含まれる粒子状物質となる。
【００５２】
また、フィルタ１に対してサンプルガスＳを通し、サンプルガスＳ中の粒子状物質を捕集する時間は、２４時間に限られず、例えば、１時間や数時間でもよいし、数日間であってもよく、サンプルガスＳの種類や濃度に応じて適宜設定すればよい。
【００５３】
また、カバー体１４に設ける蓋部１４ａの数は、一つに限られず、複数であってもよく、さらに、一つの蓋部１４ａが対応する取付部５の数は、一つに限られず、複数であってもよい。前記蓋部１４ａが一つであり、かつ一つの取付部５のみに対応する場合には、フィルタ１の交換を行わずに粒子状物質の捕集を連続して複数回行うと、フィルタ１を取り出す際にターンテーブル３ａを手動で回転させるなどして所望のフィルタ１を取り出す手間が必要となるが、蓋部１４ａを複数設けたり、蓋部１４ａを複数の取付部５に対応させれば、上記のような手間を省くことができる。
【図面の簡単な説明】
【００５４】
【図１】（Ａ）および（Ｂ）は、本発明の一実施例に係る粒子状物質捕集用フィルタの構成を概略的に示す説明図および縦断面図である。
【図２】上記フィルタが組み込まれるフィルタユニットの構成を概略的に示す斜視図である。
【図３】上記フィルタユニットを用いる粒子状物質サンプラーの構成を概略的に示す説明図である。
【図４】上記サンプラーの要部の構成を概略的に示す平面図である。
【図５】上記サンプラーにおける取付部の構成を概略的に示す斜視図である。
【図６】上記取付部の構成を概略的に示す縦断面図である。
【符号の説明】
【００５５】
１  粒子状物質捕集用フィルタ
２  多孔質層
３  補強層
１４  サンプラー
１５  フィルタ保持機構
１６  サンプルガス供給機構
１７  ターンテーブル
Ｓ  サンプルガス
【図１】
2005144317.tif 000003
【図２】
2005144317.tif 000004
【図３】
2005144317.tif 000005
【図４】
2005144317.tif 000006
【図５】
2005144317.tif 000007
【図６】
2005144317.tif 000008